(57)【要約】【課題】物品に取り付けた情報媒体の不可視情報に対応させて物品に関する音声情報を自分の声で登録し、情報媒体の不可視情報を読み取ることにより登録した音声情報を入手することができる音声ガイドシステムを提供すること。【解決手段】所定の識別情報ａと視認できない不可視情報ｂとが表示された情報媒体Ａと、該情報媒体Ａに付与された不可視情報ｂを読み取る読取装置１とからなり、上記読取装置１は、上記不可視情報ｂを読み取る読み取り部２と、ユーザーの音声を音声情報として入力する音声入力部３と、上記不可視情報ｂと上記音声情報とを対応させて上記記憶部５に記憶させる制御部６とを備えるとともに、上記制御部６は上記読み取り部２で不可視情報ｂを読み取ったとき、上記記憶部５に記憶されている不可視情報ｂに対応した音声情報を記憶部５から呼び出し、音声出力部４に出力させるようにした。【選択図】図１
2005284103.tif 000002
【特許請求の範囲】
【請求項１】
以下の要件を備えることを特徴とする音声ガイドシステム。
（イ）所定の識別情報を有するとともに、表面に視認又は視認しにくい不可視情報が表示されたカードやタグなどの情報媒体と、該情報媒体に表示された上記不可視情報を読み取る読取装置とからなり、上記情報媒体は任意の物品に取着可能であること
（ロ）上記読取装置は、上記不可視情報を読み取る読み取り部と、ユーザーの音声を入力する音声入力部と、上記不可視情報と入力した音声情報とを記憶する記憶部と、上記音声情報を上記不可視情報に対応させて上記記憶部に記憶させる制御部とを備えること
（ハ）上記制御部は上記読み取り部で不可視情報を読み取ったとき、上記記憶部に記憶されている不可視情報を検索し、該不可視情報に対応した音声情報を記憶部から呼び出し、音声出力部に出力させること
【請求項２】
前記不可視情報は容易に視認できない程度の細微なドットコードで構成されている、請求項１記載の音声ガイドシステム。
【請求項３】
前記記憶部には前記音声入力部で入力した音声情報に加え、予め前記情報媒体に対応して所定の音声情報が記憶され、前記読み取り部で情報媒体に付与された不可視情報を読み取ることにより、該不可視情報に対応した音声情報が出力される、請求項１又は２記載の音声ガイドシステム
【請求項４】
前記情報媒体に点字を形成し、前記音声情報が５０音である、請求項３記載の音声ガイドシステム。
【発明の詳細な説明】
【技術分野】
【０００１】
本発明は、音声ガイドシステム、詳しくは、情報媒体を任意の物品に取着し、この情報媒体に付与された不可視情報に音声情報を対応させて記憶し、情報媒体に付与された不可視情報を読み取ることにより音声情報を入手することができる音声ガイドシステムに関するものである。
【背景技術】
【０００２】
従来、商品に関する情報を記憶した情報体を商品に取り付け、その情報を読み取る装置で情報を読み取ることにより、その商品の詳細を知ることができるシステムが提案されている（例えば、特許文献１）。
【０００３】
このシステムは、商品の製造者が商品に関する情報を非接触ＩＣタグに記録して商品または商品のパッケージに貼付して出荷し、市場において消費者が非接触ＩＣタグリーダの付いた携帯情報端末で当該非接触ＩＣタグの情報を読み取ることにより、必要な商品情報を取得することができるようにしたものである。
【特許文献１】特開２００２−８３２５０号公報
【発明の開示】
【発明が解決しようとする課題】
【０００４】
本発明が解決しようとする問題点は、上述のシステムの場合、情報を予め情報体（非接触ＩＣタグ）に記憶させておく必要があり、一般家庭で物品にメモ用紙を取り付けてメモ代わりに使用するというものではなかったし、その情報体はコストの掛かるものであった。
【０００５】
本発明は、上記問題点を解決し、物品に取り付けた情報媒体の不可視情報に対応させて物品に関する音声情報を自分の声で登録し、情報媒体の不可視情報を読み取ることにより登録した音声情報を入手することができる音声ガイドシステムを提供することを課題とする。
【課題を解決するための手段】
【０００６】
前記課題を解決するために本発明に係る音声ガイドシステムは、以下の要件を備えることを特徴とする。
（イ）所定の識別情報を有するとともに、表面に視認又は視認しにくい不可視情報が表示されたカードやタグなどの情報媒体と、該情報媒体に表示された上記不可視情報を読み取る読取装置とからなり、上記情報媒体は任意の物品に取着可能であること
（ロ）上記読取装置は、上記不可視情報を読み取る読み取り部と、ユーザーの音声を入力する音声入力部と、上記不可視情報と入力した音声情報とを記憶する記憶部と、上記音声情報を上記不可視情報に対応させて上記記憶部に記憶させる制御部とを備えること
（ハ）上記制御部は上記読み取り部で不可視情報を読み取ったとき、上記記憶部に記憶されている不可視情報を検索し、該不可視情報に対応した音声情報を記憶部から呼び出し、音声出力部に出力させること
【０００７】
なお、前記不可視情報は容易に視認できない程度の細微なドットコードで構成され、前記情報媒体の表面に印刷され、前記読み取り部で上記ドットコードを読み取ることができるようになっていればよい。
【０００８】
また、前記記憶部には前記音声入力部で入力した音声情報に加え、予め前記情報媒体に対応して所定の音声情報が記憶され、前記読み取り部で情報媒体に付与された不可視情報を読み取ることにより、該不可視情報に対応した音声情報が出力されることが好ましい。
【０００９】
そして、前記情報媒体に点字を形成し、前記音声情報が５０音であり、視覚上で障害のある人に音声で情報が提供されるようにすることが好ましい。
【発明の効果】
【００１０】
請求項１の発明によれば、情報媒体は識別情報を備えているので物品に取着した状態の情報媒体を一瞥してその存在が判るとともに、目に見えない不可視情報が表示されているので、入力した音声情報を不可視情報に対応して記憶部に記憶させると、一旦登録した音声情報は不可視情報を読取装置で読み取ることにより出力させることができるので、一々手書きでメモを書く必要がないし、他人にはその内容はわからないので個人的な情報を音声で登録でき、画期的なメモを実現することができる。
【００１１】
請求項２の発明によれば、不可視情報をドットコードで構成することにより、印刷で不可視情報を作成することができ、ＩＣタグのような特別な素材を用いることなく情報媒体を形成することができる。
【００１２】
請求項３の発明によれば、予め情報媒体に対応して所定の音声情報を記憶部に記憶させておき、読み取り部で情報媒体に付与された不可視情報を読み取ることにより、不可視情報に対応した音声情報が出力されるので、読取装置を情報媒体にタッチさせるだけで様々な音声情報を入手することができる。
【００１３】
請求項４の発明によれば、情報媒体に点字を表示し、音声情報をその点字に対応した５０音にすることにより、目の不自由な人に情報を提供することができるシステムを構築することができる。
【発明を実施するための最良の形態】
【００１４】
所定の識別情報を有するとともに、表面に視認又は視認できない不可視情報が表示され、任意の物品に取着可能なカードやタグなどの情報媒体と、該情報媒体に付与された不可視情報を読み取る読取装置とからなり、上記読取装置は、上記不可視情報を読み取る読み取り部と、ユーザーの音声を入力する音声入力部と、上記不可視情報と入力した音声情報とを記憶する記憶部と、上記音声情報を上記不可視情報に対応させて上記記憶部に記憶させる制御部とを備え、上記制御部は上記読み取り部で不可視情報を読み取ることにより、該不可視情報に対応した音声情報を記憶部から呼び出して音声出力部に出力させるようにした。
【実施例１】
【００１５】
図１は本発明に係る音声ガイドシステムの一例を示すもので、形や色からなる識別情報ａを備えるとともに表面に目で確認できない不可視情報ｂを備えた情報媒体Ａと、この情報媒体Ａの不可視情報ｂを読み取る読取装置１とから構成されている。
【００１６】
情報媒体Ａはシール１０で構成されていればよい。この情報媒体１０は存在が明確になるように星形やハート形など、一瞥して見分けができるような形状と色とからなる識別情報ａを備えたもので、台紙１１から剥がして適宜の物品に貼り付けたとき、その存在が直ぐに判るようになっている。そして、情報媒体Ａの表面には細微なドットコードからなる不可視情報ｂが識別情報ａに重ねて印刷されている。
【００１７】
なお、シール１０が貼着できない物品の場合には、情報媒体ＡはＡＢＳ樹脂の基材１５の表面にシール１６が貼着されるとともに、輪ゴムやクリップなどの取り付け手段１７が設けられているタグ１８であってもよい。基材１５はシール１０と同様に星形やハート形など一瞥して見分けができるような形状からなる識別情報ａを備え、同形のシール１６を基材１５上に貼り付けたもので、このシール１６は上記基材１５と同形で、一瞥して存在が判るように色からなる識別情報ａを備え、シール１６の表面には細微なドットコードからなる不可視情報ｂが重ねて印刷されている。
【００１８】
なお、シール１０、１６の表面に印刷された識別情報ａは赤外線をほとんど吸収しないインク（例えば、基本の色インク、すなわちシアン、マゼンダ、イエローの組合せ）でカラー印刷され、不可視情報ｂであるドットコードは識別情報ａの上から赤外線を吸収するインク（例えば、黒の油性インク）で印刷されている。
【００１９】
ドットコードｂは、図２に示すように、視覚上の邪魔にならないように容易に視認できないような小さなドット（０．５ミリ角内に６Ｘ６個）で構成されるとともに、６Ｘ６の２次元マトリックスコードを１つのデータ単位とし、シール１０、１６上に２次元的に連続して印刷されているもので、ヘッダ情報ｂ１とデータ情報ｂ２とから構成され、ヘッダ情報ｂ１はドットコードｂを他のドットコードｂと識別する情報を備え、データ情報ｂ２は識別情報ａを特定する情報が表示されているものである。
【００２０】
読取装置１はハンディタイプで、底部にドットコードｂを読み取る読み取り部２、上部に音声を入力する音声入力部（マイク）３、前面に音声を出力する音声出力部（スピーカ）４が配置され、内部には上記読み取り部２で読み取ったドットコードと上記マイク３で入力した音声情報とを対応させて記憶部５に記憶させる制御部６とが配置されている。
【００２１】
さらに、読取装置１の側面には記憶媒体（メモリーカード）７を差し込むソケット８が設けてある。なお、図１において符号１２は電源スイッチ、符号１３は録音ボタンを示す。
【００２２】
読み取り部２は、図３に示すように、赤外線を照射する光源２０と、導光体２１と一体に形成されたレンズ２２、フィルター２３、画像センサー２４及び、処理プログラムを内蔵したドットパターン認識ＣＰＵ２５とから構成され、光源２０から導光体２１を介して情報媒体Ａに照射された赤外線の一部はドットコードｂで吸収され、ドットコードｂのない部分に照射された赤外線は識別情報ａを透過し、情報媒体Ａで反射するので、反射光はレンズ２２で集光されフィルター２３を通して画像センサー２４に取り込まれ、取り込まれた画像はデジタル信号に変換され、デジタル信号はドットパターン認識ＣＰＵ２５でドットコードｂが解析され、そのドットコードｂを構成するドットの組合せを数字コード（例えば、００００、０００１、・・、４０９５、４０９６の４０９７種類）に変換するので、制御部６は数字コードに基づいて記憶部５から音声データを読み出し、読み出した音声データはスピーカ４からドットコードｂ（識別情報ａ）に対応した音声で出力するようになっている。
【００２３】
音声を録音する際は、先ず情報媒体Ａに読取装置１の読み取り部２をタッチさせドットコードｂを読み取った後、録音ボタン１０を押圧すると、制御部６はマイク３を使用可能状態とするので、マイク３に音声を入力するとマイク３から出力されるアナログの音声信号が制御部６でアナログ−デジタル変換されて音声データとして記憶部５に記憶される。この音声データは、直前に読み取ったドットコードｂが変換された数字コードに対応したメモリエリアに登録されるようになっている。例えば、植木鉢に朝顔の種を播いて植木鉢にシールを貼り付け、そのシールから読み取ったドットコードが数字コードで「０７１２」であり、マイクに入力した音声が「この植木鉢は○月○日に朝顔の種を播きました」の場合は、図４に示すように、記憶部５上に設定されているテーブルの数字コード「０７１２」に対応するメモリエリアに音声データ「この植木鉢は○月○日に朝顔の種を播きました」が登録されればよい。
【００２４】
一旦登録した音声を聞く場合は、先ずドットコードｂを読取装置１で読み取る。そのドットコードｂが以前読み取って音声を登録したものであれば、そのドットコードｂの数字コードに対応した音声データが記憶部５から読み出され、アナログの音声信号に変換されてスピーカ４から音声情報として出力されるので、ユーザーは読取装置１の読み取り部２を情報媒体Ａにタッチするだけで情報媒体Ａを取り付けた物品の情報を音声で入手することができるようになっている。
【００２５】
次に、上記音声ガイドシステムの使用態様の一例について説明する。このシステムはユーザーが購入した食品の名前や購入日、賞味期限等を音声でメモすることができるようにしたものである。
【００２６】
例えば、カレーなどの食材を購入した時、パッケージ３０にはその食材の名前や、賞味期限が記載されているのは一般的であるが、内容物が複数の真空パック３１に分かれていて真空パック３１には中身の詳細が記載されていない場合、真空パック３１を一旦パッケージ３０から取り出してしまうとその真空パックの中身が何であるかが判らなくなるので、先ず、図５（ａ）に示すように、シール１０を台紙１１から剥がして真空パック３１に貼り付ける。次に、読取装置の読み取り部をシール１０に当ててシール１０上に印刷されているドットコードｂを読み取る（図５（ｂ）参照）。
【００２７】
次に、録音ボタン１０を押しながらマイク３に向かって、登録すべき音声情報（例えば、「このパックはチキンカレーで、ＸＸ年ＸＸ月ＸＸ日に購入し、賞味期限が○○年○○月○○日です」）を入力する。マイク３に入力された音声は、音声データに変換されて記憶部５に記憶される。この際、直前に読み取ったドットコードｂに対応するメモリエリアに音声データが登録される。
【００２８】
次に、上記真空パックの詳細を知りたい時には、読取装置１の読み取り部２をシール１０にタッチしてシール１０上に印刷されているドットコードｂを読み取る（図５（ｃ）参照）。
【００２９】
制御部６は、そのドットコードｂを認識し、そのドットコードｂに対応して音声データが記憶部５に記憶されているか否かを判断し、音声データが記憶されていればその音声データを読み出し、スピーカ４から音声情報（例えば、「このパックはチキンカレーで、ＸＸ年ＸＸ月ＸＸ日に購入し、賞味期限が○○年○○月○○日です」）として出力されるので、ユーザーはそのパックの中身が何であって、その購入日や賞味期限がわかるので、一々マジック等の筆記具で記載する必要がなく、食材の管理を簡単に行なうことができる。
【００３０】
上述のように、購入した商品にシール１０を貼り、その商品に関する情報を音声で入力することにより、そのシール１０に印刷されたドットコードｂに対応した記憶部５のメモリエリアに音声データが記憶されるので、その商品の情報を知りたいとき、商品に貼ったシール（シールが貼ってあれば、情報が読取装置に入力されていると判断できるので）に読取装置の読み取り部を当てることにより、簡単に情報を入手することができるので、商品管理を容易に行なうことができる。
【産業上の利用可能性】
【００３１】
上述の音声ガイドシステムの場合、シールには予めドットコードｂが印刷され、このドットコードｂを何に対応させるかはユーザーが任意に設定できるものであったが、シールと音声データとを対応させて予め記憶媒体（例えば、メモリーカード）７に記憶させておき、この記憶媒体を読取装置にセットし、ドットコードｂを読み取り部で読んだとき、このドットコードｂに対応した音声データがこの記憶媒体から出力されるようにしてもよい。
【００３２】
例えば、小さい頃に失明して点字を学んだ人と比べて、年を経てから失明すると、点字を触わって読み取るのにはたいへんな努力が必要になるため、中途失明者で点字を自由に読めるようになる人は数パーセントにすぎず、全体として点字を読める人の割合が少ないのが現状であり、上記ドットコードｂを点字に重ねて印刷し、メモリーカード７に点字に対応したドットコードの数字コードとこの数字コードに対応した音声データを登録しておき、目の不自由な人が点字を指でなぞるように読取装置で点字をなぞり、点字に対応した音声が出力されるようにすればよい。
【００３３】
図６に示すように、健常者も判読できるように点字３５と平仮名３６とを併記し、点字３５に重ねてドットコードｂを印刷しておけばよい。
【００３４】
目の不自由な人は、指でなぞって点字３５のある部分を確認したら読取装置１で点字部分にタッチしながら点字３５に沿って移動させればよい。読み取り部２がドットコードｂを読み取るたびにそのドットコードｂに対応した音声（例えば「カ、レ、イ、ラ、イ、ス」）が出力されるので、目が不自由で点字が読めない人であってもその点字を音声で確認することができる。
【００３５】
上述のように、点字に対応してドットコードを設定しておき、点字に平仮名や数字などの表示文字とを併記したシール（図７参照）を用意しておき、必要な場所や、物品に文章が構成されるように台紙からシールを剥がして貼っておけば、そのシールの表記文字から健常者がその内容を理解でき、目の不自由な人はシールの点字部分に読取装置の読み取り部をタッチさせることにより健常者と同じ情報を入手でき、点字の判らない健常者も目の不自由な人に情報を伝達することができるので、社会に貢献できるシステムを作り上げることができる。
【図面の簡単な説明】
【００３６】
【図１】本発明に係る音声ガイドシステムの一例を示す斜視図
【図２】情報媒体の構成の説明図
【図３】読取装置の構成を説明するブロック図
【図４】記憶部に記憶される数字コードと音声データのテーブル図
【図５】（ａ）〜（ｃ）は上記音声ガイドシステムの使用態様説明図
【図６】上記音声ガイドシステムの他の使用態様の説明図
【図７】上記他の使用態様で使用する情報媒体の一例を示す説明図
【符号の説明】
【００３７】
１    読取装置
２    読み取り部
３    音声入力部（マイク）
４    音声出力部（スピーカ）
５    記憶部
６    制御部
Ａ    情報媒体
ａ    識別情報
ｂ    不可視情報
【図１】
2005284103.tif 000003
【図２】
2005284103.tif 000004
【図３】
2005284103.tif 000005
【図４】
2005284103.tif 000006
【図５】
2005284103.tif 000007
【図６】
2005284103.tif 000008
【図７】
2005284103.tif 000009